(57)【要約】【課題】半田付け作業が不要で電線を端子金具へ簡単且つ確実に接続可能な貫通端子台及びそれに用いる端子金具を提供する。【解決手段】端子ネジ２０用の貫通孔１０ｂを設けた端子板部１０ａ及び端子板部１０ａの一端から下方へ延設されて内部配線用の電線Ｃ１が接続される延設部１０ｄを有する端子金具１０と、端子金具１０が基台部３１の上下面を貫通して装着される絶縁性の端子台本体３０とを備え、端子金具１０は、延設部１０ｄの下端に電線Ｃ１の先端が挿入され且つ圧着される円筒部１０ｅが設けられ、端子台本体３０は、基台部３１の台座部３２上面に端子ネジ２０が端子金具１０の貫通孔１０ｂを介して上方から螺合する雌ネジ金具３３が設けられると共に、基台部３１の台座部３２前面に開口し且つ上下面を貫通する端子金具１０の延設部１０ｄを挿入可能なスリット部３２ｂが設けられている。【選択図】図１
2008269981.tif 000002
【特許請求の範囲】
【請求項１】
端子ネジ用の貫通孔を設けた水平な端子板部及びその端子板部の一端から下方へ延設されて電線が接続される延設部を有する端子金具と、その端子金具が基台部の上下面を貫通して装着される絶縁性の端子台本体とを備えた貫通端子台において、
前記端子金具は、前記延設部の下端に前記電線の先端が挿入され且つ圧着される円筒部が設けられ、
前記端子台本体は、前記基台部の上面に前記端子ネジが前記端子金具の前記貫通孔を介して螺合する雌ネジ部が設けられると共に、前記基台部の前面に開口し且つ上下面を貫通する前記端子金具の前記延設部を挿入可能なスリット部が設けられたことを特徴とする貫通端子台。
【請求項２】
前記端子金具は、前記端子板部の他端に下方へ突出する圧入片部が更に設けられ、
前記端子台本体は、前記基台部の上面に前記端子金具の前記圧入片部が圧入される被圧入凹部が更に設けられたことを特徴とする請求項１に記載の貫通端子台。
【請求項３】
端子ネジ用の貫通孔を設けた水平な端子板部と、その端子板部の一端から下方へ延設されて電線が接続される延設部とを備え、絶縁性の貫通端子台に基台部の上下面を貫通して装着される端子金具において、
前記延設部の下端に前記電線の先端が挿入され且つ圧着される円筒部が設けられたことを特徴とする端子金具。
【請求項４】
前記端子板部の他端に下方へ突出する圧入片部が更に設けられたことを特徴とする請求項３に記載の端子金具。
【発明の詳細な説明】
【技術分野】
【０００１】
本発明は、端子金具が絶縁性の端子台本体に対し上下に貫通して装着される貫通端子台及びそれに用いる端子金具に関する。
【背景技術】
【０００２】
従来より、電気機器の筐体に取り付けられて外部配線と内部配線との接続等に使用される端子台として、絶縁性の端子台本体に基台部の両面を貫通して導電板を配置してなる各種の貫通端子台が提案され実用に供されている（例えば、特許文献１参照。）。
【０００３】
また、貫通端子台の一態様として、従来より、外部配線が端子ネジの締付けにより端子金具に接続されると共に、内部配線が半田付けにより端子金具に接続される構造のものがある。ここで、従来例の貫通端子台の構成について図面を参照しつつ説明する。図１０（ａ）は、従来例の貫通端子台１０１を示す平面図、（ｂ）は正面図、（ｃ）は側面図、（ｄ）は（ｂ）におけるＣ−Ｃ線断面図である。図１１は、端子金具１１０を示す斜視図である。図１２は、貫通端子台１０１の使用状態を示す断面図である。
【０００４】
従来例の貫通端子台１０１は、図１０に示すように、複数の端子金具１１０と、端子金具１１０と同数の端子ネジ１２０と、絶縁性の端子台本体１３０とから構成される。
【０００５】
端子金具１１０は、図１１に示すように、金属の平板にて四角形の端子板部１１０ａと、端子板部１１０ａの１辺より直角に曲折された突出部１１０ｃと、端子板部１１０ａにおいて突出部１１０ｃと対向する辺に直角に曲折し延設された延設部１１０ｅとを有している。端子板部１１０ａの中央には、端子ネジ１２０が螺合する雌ネジ孔１１０ｂが形成されている。突出部１１０ｃには、鋸状部１１０ｄが形成されている。延設部１１０ｅには、垂直部分である鋸状部１１０ｆ、鋸状部１１０ｆから直角に曲折された水平部分である水平部１１０ｇ及び水平部１１０ｈから直角に曲折された垂直部分であり電線取付け孔１１０ｊを有する電線接続部１１０ｉが上から下へ順に設けられている。尚、鋸状部１１０ｄ、１１０ｆは、端子台本体１３０の基台部１３１に埋設される部分であり抜け止めの役割を果たす。
【０００６】
端子台本体１３０は、図１０に示すように、端子金具１１０と同数の台座部１３２を左右に隣接して形成してなる基台部１３１と、基台部１３１上面で各台座部１３２の左右両側に立設された複数の隔壁部１３５と、基台部１３１の長手方向両端に設けられて取付け孔１３７ａを有する取付部１３７とが絶縁性の樹脂材料によって一体的に形成されている。
【０００７】
各台座部１３２は、図１０（ｄ）に示すように、上面に平面視矩形状に大きく開口された開口部１３２ａが設けられ、底面には端子金具１１０の電線接続部１１０ｉが挿通される貫通孔１３２ｂが形成されており、端子金具１１０が１個ずつ取付けられる。端子金具１１０の端子板部１１０ａは、台座部１３２上面に露出し、電線接続部１１０ｉは、貫通孔１３２ｄを通して台座部１３２底面より突出する。
【０００８】
次に、貫通端子台１０１を電気機器の筐体へ取付けて内部配線用の電線及び外部配線用の電線を接続する手順について説明する。まず、内部配線用の電線Ｃ１を筐体の開口部から外部へ引き出し、導体部Ｃ１ａの先端を電線接続部１１０ｉの電線取付け孔１１０ｊに差し込み、この状態で当該部分に半田付けを施すことにより電線Ｃ１と端子金具１１０との接続を図る。使用するすべての電線Ｃ１の電線接続部１１０ｉへの半田付けが終了した後、端子台本体１３０の両端に設けられた取付け孔１３７ａに取付けネジ（図示せず）を差し込んで筐体の雌ネジ孔に螺着することにより、端子台本体１３０を筐体に対して取付け固定する。続いて、図示しないドライバを用いて端子ネジ１２０を反時計回りに回して端子板部１１０ａから取外し、端子ネジ１２０の足部を外部配線用の電線Ｃ２の先端に取付けられた圧着端子Ｃ２ａの穴に挿通した状態で端子板部１１０ａのネジ孔１１０ｂに差し込み、再びドライバを用いて端子ネジ１２０を時計回りに回して端子板部１１０ａへ締付ける。すべての電線Ｃ２を端子板部１１０ａへ接続することにより作業が完了する。
【特許文献１】実開昭６４−７７７３号公報
【発明の開示】
【発明が解決しようとする課題】
【０００９】
しかしながら、上述した従来の貫通端子台１０１では、内部配線用の電線Ｃ１を端子金具１１０の延設部１１０ｅに設けられた電線接続部１１０ｉへ接続するために半田付け作業が必要となるので、半田付け技術を修得している者でなければ内部配線用の電線を接続できないという欠点や、半田付け作業を行うのに電源を確保する必要があり、特に屋外の現場等で電線の接続作業を行う場合に不便であるという欠点があった。
【００１０】
本発明は上述した問題点に鑑みてなされたものであり、半田付け作業が不要で電線を端子金具へ簡単且つ確実に接続可能な貫通端子台及びそれに用いる端子金具を提供することを目的とする。
【課題を解決するための手段】
【００１１】
以下、上記課題を解決するのに適した各手段につき、必要に応じて作用効果等を付記しつつ説明する。
【００１２】
１．端子ネジ用の貫通孔を設けた水平な端子板部及びその端子板部の一端から下方へ延設されて電線が接続される延設部を有する端子金具と、その端子金具が基台部の上下面を貫通して装着される絶縁性の端子台本体とを備えた貫通端子台において、
前記端子金具は、前記延設部の下端に前記電線の先端が挿入され且つ圧着される円筒部が設けられ、
前記端子台本体は、前記基台部の上面に前記端子ネジが前記端子金具の前記貫通孔を介して螺合する雌ネジ部が設けられると共に、前記基台部の前面に開口し且つ上下面を貫通する前記端子金具の前記延設部を挿入可能なスリット部が設けられたことを特徴とする貫通端子台。
【００１３】
手段１によれば、内部配線用の電線の先端を端子金具の延設部下端に設けられた円筒部内に挿入し、この状態で圧着工具を用いて円筒部に外力を加えて変形させることにより内部配線用の電線が確実に円筒部に圧着される。そして、端子金具の延設部を、端子台本体の基台部の上下面を貫通するスリット部に前面の開口から挿入し、端子ネジを外部配線用の電線の先端に取付けられた圧着端子の穴及び端子金具の端子板部に設けられた貫通孔を介して基台部の雌ネジ部に螺合することにより、端子金具が端子台本体に装着されると同時に、外部配線用の電線が端子金具の端子板部に確実に接続される。従って、端子ネジ用の貫通孔を設けた端子板部及びその端子板部の一端から下方へ延設されて電線が接続される延設部を有する端子金具と、端子金具が基台部の上下面を貫通して装着される絶縁性の端子台本体とを備える貫通端子台において、電線を端子金具の延設部へ圧着により簡単に接続することができ、電線の半田付け作業が不要とされる。
【００１４】
２．前記端子金具は、前記端子板部の他端に下方へ突出する圧入片部が更に設けられ、
前記端子台本体は、前記基台部の上面に前記端子金具の前記圧入片部が圧入される被圧入凹部が更に設けられたことを特徴とする手段１に記載の貫通端子台。
【００１５】
手段２によれば、内部配線用の電線の先端を端子金具の延設部下端に設けられた円筒部に挿入し圧着工具を用いて円筒部に外力を加えて変形させることにより電線を圧着すると共に、端子台本体の基台部の上下面を貫通するスリット部に前面の開口から端子金具の延設部を挿入した状態で、端子板部の他端に設けた下方へ突出する圧入片部を基台部に設けた被圧入凹部に位置合わせし、端子ネジを外部配線用の電線の先端に取付けられた圧着端子の穴及び端子金具の端子板部に設けた貫通孔を介して基台部の雌ネジ部に螺合することにより、端子金具の圧入片部が被圧入凹部に圧入される。よって、端子金具は、圧入片部の被圧入凹部への圧入により端子台本体に固定されるので、端子ネジを取り外しても端子金具の端子台本体への装着状態が保持される。また、端子金具を端子ネジにより端子台本体へ締付けるだけで、圧入片部が被圧入凹部へ圧入されるので、端子金具を端子台本体へ簡単に且つ素早く装着することができる。
【００１６】
３．端子ネジ用の貫通孔を設けた水平な端子板部と、その端子板部の一端から下方へ延設されて電線が接続される延設部とを備え、絶縁性の貫通端子台に基台部の上下面を貫通して装着される端子金具において、
前記延設部の下端に前記電線の先端が挿入され且つ圧着される円筒部が設けられたことを特徴とする端子金具。
【００１７】
手段３によれば、内部配線用の電線の先端を端子金具の延設部下端に設けられた円筒部内に挿入し、この状態で圧着工具を用いて円筒部に外力を加えて変形させることにより内部配線用の電線が確実に円筒部に圧着される。そして、基台部の上面に端子ネジが螺合する雌ネジ部が設けられ且つ基台部の前面に開口し且つ上下面を貫通するスリット部が設けられた貫通端子台に対して、端子金具の延設部を基台部の上下面を貫通するスリット部に前面の開口から挿入し、端子ネジを外部配線用の電線の先端に取付けられた圧着端子の穴及び端子金具の端子板部に設けられた貫通孔を介して基台部の雌ネジ部に螺合することにより、端子金具が端子台本体に装着されると同時に、外部配線用の電線が端子金具の端子板部に確実に接続される。従って、端子ネジ用の貫通孔を設けた端子板部及びその端子板部の一端から下方へ延設されて電線が接続される延設部を有する端子金具と、端子金具が基台部の上下面を貫通して装着される絶縁性の端子台本体とを備える貫通端子台において、電線を端子金具の延設部へ圧着により簡単に接続することができ、電線の半田付け作業が不要とされる。
【００１８】
４．前記端子板部の他端に下方へ突出する圧入片部が更に設けられたことを特徴とする手段３に記載の端子金具。
【００１９】
手段４によれば、端子金具は、端子板部の他端に下方へ突出する圧入片部が更に設けられているので、基台部の上面に端子ネジが螺合する雌ネジ部が設けられ且つ基台部の前面に開口し且つ上下面を貫通するスリット部が設けられると共に、基台部の上面に端子金具の圧入片部が圧入される被圧入凹部が設けられた貫通端子台への装着が簡単となる。すなわち、内部配線用の電線の先端を端子金具の延設部下端に設けられた円筒部に挿入し圧着工具を用いて円筒部に外力を加えて変形させることにより電線を圧着すると共に、端子台本体の基台部の上下面を貫通するスリット部に前面の開口から端子金具の延設部を挿入した状態で、端子板部の他端に設けた下方へ突出する圧入片部を基台部に設けた被圧入凹部に位置合わせし、端子ネジを外部配線用の電線の先端に取付けられた圧着端子の穴及び端子金具の端子板部に設けた貫通孔を介して基台部の雌ネジ部に螺合することにより、端子金具の圧入片部が被圧入凹部に圧入される。よって、端子金具は、圧入片部の被圧入凹部への圧入により端子台本体に固定されるので、端子ネジを取り外しても端子金具の端子台本体への装着状態が保持される。また、端子金具を端子ネジにより端子台本体へ締付けるだけで、圧入片部が被圧入凹部へ圧入されるので、端子金具を端子台本体へ簡単に且つ素早く装着することができる。
【発明の効果】
【００２０】
本発明の貫通端子台及び端子金具によれば、端子ネジ用の貫通孔を設けた端子板部及びその端子板部の一端から下方へ延設されて電線が接続される延設部を有する端子金具と、端子金具が基台部の上下面を貫通して装着される絶縁性の端子台本体とを備える貫通端子台において、電線を端子金具の延設部へ圧着により簡単に接続することができ、電線の半田付け作業が不要とされる。
【発明を実施するための最良の形態】
【００２１】
以下、本発明の貫通端子台及びそれに用いる端子金具を具体化した一実施形態について図面を参照しつつ説明する。図１（ａ）は、貫通端子台１を示す平面図、（ｂ）は正面図、（ｃ）は右側面図、（ｄ）は（ｂ）におけるＡ−Ａ線断面図、（ｅ）は斜視図である。図２は、貫通端子台１を示す分解斜視図である。図３（ａ）は、端子金具１０を示す平面図、（ｂ）は正面図、（ｃ）は右側面図、（ｄ）は底面図、（ｅ）は斜視図である。図４（ａ）は、端子台本体３０を示す平面図、（ｂ）は正面図、（ｃ）は右側面図、（ｄ）は（ｂ）におけるＢ−Ｂ線断面図である。
【００２２】
貫通端子台１は、電気機器の筐体に取り付けられて外部配線と内部配線との接続等に使用される端子台であって、図１、図２に示すように、複数（本実施形態では５個）の端子金具１０と、端子金具１０と同数（５個）の端子ネジ２０と、絶縁性の端子台本体３０と、透明カバー４０とから構成される。
【００２３】
端子金具１０は、銅や黄銅などの金属板を折り曲げ加工して作製したものであり、図３等に示すように、端子板部１０ａと、圧入片部１０ｂと、延設部１０ｃとを有している。
【００２４】
端子板部１０ａは、矩形平板状を呈する水平部分であり、端子ネジ２０の足部２０ａが挿通される端子ネジ用の貫通孔１０ｂが中央に形成されている。
【００２５】
圧入片部１０ｃは、端子板部１０ａの一端より直角に折曲げられて下方へ突出する垂直部分であり、端子台本体３０の基台部３１上面に設けられた後述する被圧入凹部３２ａに圧入される。
【００２６】
延設部１０ｄは、端子板部１０ａの圧入片部１０ｃに対向する他端より略直角に折曲げられて下方へ延設された幅の狭い垂直部分であり、端子台本体３０の基台部３１の高さよりも長く設定されている。また、延設部１０ｄ下端には、円筒部１０ｅが形成されている。円筒部１０ｅは、延設部１０ｄ下端に設けられた矩形板状部分を両側から湾曲状に折曲げて略円筒状に形成したものである。円筒部１０ｅに電線先端の導体部分を挿入し、圧着工具によって変形させて圧着することにより、端子金具１０と電線との接続が図られる。
【００２７】
端子台本体３０は、例えばＰＢＴ（ポリブチレンテレフタレート）等の絶縁性樹脂材料を成型したものであって、図４等に示すように、横長のブロック状を呈する基台部３１と、基台部３１上面に所定間隔で立設された複数の隔壁部３５と、基台部３１の左右両端から側方へ突設された取付部３７とを有している。
【００２８】
基台部３１には、複数（５個）の台座部３２が所定間隔で左右に隣接して設けられている。各台座部３２は、端子金具１０が１個ずつ装着される部分である。基台部３１の各台座部３２上面中央には、端子ネジ２０が上方から螺合する雌ネジ金具３３が埋設されている。尚、雌ネジ金具３３が、本発明の雌ネジ部を構成するものである。また、各台座部３２上面の雌ネジ金具３３よりも後方には被圧入凹部３２ａが形成されている。被圧入凹部３２ａは、端子金具１０の圧入片部１０ｃの断面サイズよりも僅かに小さい横長矩形状の開口断面を有し且つ深さが圧入片部１０ｃの長さより僅かに大きく設定された凹部であり、圧入片部１０ｃが上方から圧入される。基台部３１の各台座部３２には、前面に開口し且つ上下面を貫通する端子金具１０の延設部１０ｄを挿入可能なスリット部３２ｂが形成されている。さらに、各台座部３２上面の雌ネジ金具３４を挟んで前後両側に、端子板部１０ａを位置決めするための位置決め用凸部３２ｃが形成されている。
【００２９】
隔壁部３５は、基台部３１上面において各台座部３２を挟んで左右両側に立設された側面視略矩形状を呈する壁状部分であり、前後両端の上部には透明カバー４０の前後両端の屈曲部４０ａを係止する切り欠き部３５ａが形成されている。
【００３０】
取付部３７は、端子台本体３０を取付けネジを介して装置の筐体等の取付け対象に取付けるために基台部３１の左右両端に設けられた部分であり、上下に貫通するネジ挿通孔３７ａがそれぞれ形成されている。
【００３１】
透明カバー４０は、端子台本体３０の基台部３１の平面サイズに略等しい平面視で細長い長方形状に形成された透明樹脂製のカバー部材である。また、透明カバー４０の前端縁及び後端縁には下向きに屈曲する屈曲部４０ａがそれぞれ形成されている。そして、透明カバー４０は、屈曲部４０ａにおいて各隔壁部３５の前後両端の上部に形成された切り欠き部３５ａに係止される。
【００３２】
次に、貫通端子台１における電線の接続及び電気機器の筐体への取付け方法について、図５乃至図９を参照しつつ説明する。ここで、図５は、内部配線用の電線Ｃ１に端子金具１０を圧着する手順を示す斜視説明図であり、（ａ）は電線Ｃ１を電気機器９０の筐体９１から外部へ引き出した様子を、（ｂ）は電線Ｃ１に端子金具１０を圧着する様子をそれぞれ示している。図６は、５本全ての電線Ｃ１にそれぞれ端子金具１０を圧着した状態を示す斜視説明図である。図７は、端子金具１０の端子台本体３０への取付け及び外部配線用の電線Ｃ２の端子金具１０への接続を示す斜視説明図である。図８は、端子金具１０の端子台本体３０への取付け及び外部配線用の電線Ｃ２の端子金具１０への接続手順を示す断面説明図であり、（ａ）は端子金具１０を端子台本体３０へ位置決めする様子を、（ｂ）は端子ネジ２０を端子台本体３０に対して締付ける様子を、（ｃ）は端子ネジ２０の締め付けにより端子金具１０の装着及び外部配線用の電線Ｃ２の接続が完了した状態をそれぞれ示している。図９は、貫通端子台１の使用状態を示す斜視図である。尚、初期状態では、各端子金具１０、各端子ネジ２０及び透明カバー４０は端子台本体３０に装着されていないものとする。
【００３３】
まず、内部配線用の電線Ｃ１を電気機器９０の筐体９１の開口部９１ａから外部へ引き出し（図５（ａ）参照）、先端の導体部（ヨリ線）Ｃ１ａを端子金具１０の円筒部１０ｅ内に挿入し、図示しない圧着工具を使用して円筒部１０ｅに外力を加えて変形させることにより電線Ｃ１を圧着する（図５（ｂ）参照）。５本全ての電線Ｃ１について端子金具１０をそれぞれ圧着する（図６参照）。
【００３４】
次に、端子金具１０の延設部１０ｄを、端子台本体３０において基台部３１の台座部３２上下面を貫通するスリット部３２ｂに前面の開口から挿入し、更に、端子板部１０ａの一端に設けた下方へ突出する圧入片部１０ｃを、基台部３１の台座部３２上面に設けた被圧入凹部３２ａに、端子板部１０ａの前後両端を台座部３２上面の雌ネジ金具３４を挟んで前後両側に形成された位置決め用凸部３２ｃにそれぞれ位置合わせする（図７及び図８（ａ）参照）。
【００３５】
続いて、端子ネジ２０の足部２０ａを、座金２１の穴、外部配線用の電線Ｃ２の先端に取付けられた圧着端子Ｃ２ａの穴及び端子金具１０の端子板部１０ａに設けられた貫通孔１０ｂに挿通し、端子ネジ２０をドライバで時計回りに回すことにより（図８（ｂ）参照）、台座部３２に埋設された雌ネジ金具３３に螺合する。これにより、圧入片部１０ｃが被圧入凹部３２ａに圧入されて端子金具１０が端子台本体３０に装着されると同時に、外部配線用の電線Ｃ２が端子金具１０の端子板部１０ａに確実に接続される（図８（ｃ）参照）。
【００３６】
そして、使用する全ての端子金具１０について、上記作業を実施して、端子台本体３０への装着、内部配線用の電線Ｃ１及び外部配線用の電線Ｃ２の接続を行った後、取付けネジ９２の足部を取付部３７のネジ挿通孔３７ａに挿通して筐体９１の雌ネジ孔９１ｂに螺合し、端子台本体３０を筐体９１に対して取付け固定する。
【００３７】
最後に、透明カバー４０の前後の屈曲部４０ａを各隔壁部３５の前後両端上部の切り欠き部３５ａに係止させることにより、透明カバー４０を端子台本体３０に装着して作業を完了する（図９参照）。
【００３８】
以上詳述したことから明らかなように、本実施形態の貫通端子台１は、端子ネジ２０用の貫通孔１０ｂを設けた端子板部１０ａ及び端子板部１０ａの一端から下方へ延設されて内部配線用の電線Ｃ１が接続される延設部１０ｄを有する端子金具１０と、端子金具１０が基台部３１の上下面を貫通して装着される絶縁性の端子台本体３０とを備え、端子金具１０は、延設部１０ｄの下端に電線Ｃ１の先端が挿入され且つ圧着される円筒部１０ｅが設けられ、端子台本体３０は、基台部３１の台座部３２上面に端子ネジ２０が端子金具１０の貫通孔１０ｂを介して上方から螺合する雌ネジ金具３３が設けられると共に、基台部３１の台座部３２前面に開口し且つ上下面を貫通する端子金具１０の延設部１０ｄを挿入可能なスリット部３２ｂが設けられたことを特徴とする。
【００３９】
従って、本実施形態の貫通端子台１によれば、内部配線用の電線Ｃ１の先端Ｃ１ａを端子金具１０の延設部１０ｄ下端に設けられた円筒部１０ｅ内に挿入し、この状態で圧着工具を用いて円筒部１０ｅに外力を加えて変形させることにより内部配線用の電線Ｃ１が確実に円筒部１０ｅに圧着されるので、電線Ｃ１を半田付けすることなく、端子金具１０へ簡単に接続することができる。そして、端子金具１０の延設部１０ｄを、端子台本体３０の基台部３１の上下面を貫通するスリット部３２ｂに前面の開口から挿入し、端子ネジ２０を外部配線用の電線Ｃ２の先端に取付けられた圧着端子Ｃ２の穴及び端子金具１０の端子板部１０ａに設けられた貫通孔１０ｂを介して基台部３１の雌ネジ金具３３に螺合することにより、端子金具１０が端子台本体３０に装着されると同時に、外部配線用の電線Ｃ２が端子金具１０の端子板部１０ａに確実に接続される。
【００４０】
また、端子金具１０は、端子板部１０ａの一端に下方へ突出する圧入片部１０ｃが設けられ、端子台本体３０は、基台部３１の台座部３２上面に端子金具１０の圧入片部１０ｃが上方から圧入される被圧入凹部３２ａが設けられたことを特徴とする。
【００４１】
従って、端子金具１０は、圧入片部１０ｃの被圧入凹部３２ａへの圧入により端子台本体３０に固定されるので、端子ネジ２０を取り外しても端子金具２０を端子台本体３０に装着した状態が保持される。また、端子金具１０を端子ネジ２０により端子台本体３０へ締付けるだけで、圧入片部１０ｃを被圧入凹部３２ａに圧入して端子金具１０を端子台本体３０へ簡単に且つ素早く装着することができる。
【００４２】
尚、本発明は上述した実施の形態に限定されるものではなく、本発明の主旨を逸脱しない範囲で種々の変更を施すことが可能であることは云うまでもない。例えば、上記実施形態では、貫通端子台１における端子金具１０、端子ネジ２０及び台座部３２の数をそれぞれ５個とした例を示したが、任意の数に設定可能であり、５個より少なくても多くても構わない。
【図面の簡単な説明】
【００４３】
【図１】（ａ）は本発明の一実施形態の貫通端子台を示す平面図、（ｂ）は正面図、（ｃ）は右側面図、（ｄ）は（ｂ）におけるＡ−Ａ線断面図、（ｅ）は斜視図である。
【図２】貫通端子台を示す分解斜視図である。
【図３】（ａ）は端子金具を示す平面図、（ｂ）は正面図、（ｃ）は右側面図、（ｄ）は底面図、（ｅ）は斜視図である。
【図４】（ａ）は端子台本体を示す平面図、（ｂ）は正面図、（ｃ）は右側面図、（ｄ）は（ｂ）におけるＢ−Ｂ線断面図である。
【図５】内部配線用の電線に端子金具を圧着する手順を示す斜視説明図であり、（ａ）は電線を電気機器の筐体から外部へ引き出した様子を、（ｂ）は電線に端子金具を圧着する様子をそれぞれ示している。
【図６】全ての電線にそれぞれ端子金具を圧着した状態を示す斜視説明図である。
【図７】端子金具の端子台本体への取付け及び外部配線用の電線の端子金具への接続を示す斜視説明図である。
【図８】端子金具の端子台本体への取付け及び外部配線用の電線の端子金具への接続手順を示す断面説明図であり、（ａ）は端子金具を端子台本体へ位置決めする様子を、（ｂ）は端子ネジを端子台本体に対して締付ける様子を、（ｃ）は端子ネジの締め付けにより端子金具の装着及び外部配線用の電線の接続が完了した状態をそれぞれ示している。
【図９】貫通端子台の使用状態を示す斜視図である。
【図１０】（ａ）は従来例の貫通端子台を示す平面図、（ｂ）は正面図、（ｃ）は側面図、（ｄ）は（ｂ）におけるＣ−Ｃ線断面図である。
【図１１】従来例の端子金具を示す斜視図である。
【図１２】従来例の貫通端子台の使用状態を示す断面図である。
【符号の説明】
【００４４】
１    端子台
１０    端子金具
１０ａ  端子板部
１０ｂ  貫通孔
１０ｃ  圧入片部
２０    端子ネジ
３０    端子台本体
３１    基台部
３２    台座部
３３    雌ネジ金具（雌ネジ部）
３５    隔壁部
３７    取付部
【図１】
2008269981.tif 000003
【図２】
2008269981.tif 000004
【図３】
2008269981.tif 000005
【図４】
2008269981.tif 000006
【図５】
2008269981.tif 000007
【図６】
2008269981.tif 000008
【図７】
2008269981.tif 000009
【図８】
2008269981.tif 000010
【図９】
2008269981.tif 000011
【図１０】
2008269981.tif 000012
【図１１】
2008269981.tif 000013
【図１２】
2008269981.tif 000014